(57)【特許請求の範囲】
【請求項１】
一定周期の網同期タイミング信号を発生するとともに、可変周期のポーリングタイミング信号を前記網同期タイミング信号に同期を取って発生するタイマと、
発呼要求操作を受け付ける操作手段と、
前記網同期タイミング信号により周期的にウェイクアップして携帯電話網との間の無線通信について無線処理を行う無線処理手段と、
前記ポーリングタイミング信号により周期的にウェイクアップして前記操作手段による発呼要求がなされたか否かをポーリングし、発呼要求があれば前記無線処理手段に発信指示を行うポーリング処理手段と、
主表示を行う表示部のオン状態のときに前記ポーリングタイミング信号の可変周期を第１の周期とし、前記表示部がオフ状態のときに前記ポーリングタイミング信号の可変周期を前記第１の周期より長い第２の周期に設定する制御手段とを
具備することを特徴とする携帯電話機。
【請求項２】
一定周期の網同期タイミング信号を発生するとともに、制御手段から第１の周期を設定されたときに、ポーリングタイミング信号を発生後にポーリングタイミング信号を前記網同期タイミング信号に同期を取って前記第１の周期で発生し、制御手段から第２の周期を設定されたときに、ポーリングタイミング信号を発生後にポーリングタイミング信号を前記網同期タイミング信号に同期を取って前記第２の周期で発生するタイマと、
発呼要求操作を受け付ける操作手段と、
前記網同期タイミング信号により周期的にウェイクアップして携帯電話網との間の無線通信について無線処理を行う無線処理手段と、
前記ポーリングタイミング信号により周期的にウェイクアップして前記操作手段による発呼要求がなされたか否かをポーリングし、発呼要求があれば前記無線処理手段に発信指示を行うポーリング処理手段と、
主表示を行う表示部のオン状態のときに前記ポーリングタイミング信号の周期を前記第１の周期とし、前記表示部がオフ状態のときに前記ポーリングタイミング信号の周期を前記第１の周期より長い前記第２の周期に設定する制御手段とを
具備することを特徴とする携帯電話機。
【請求項３】
一定周期の網同期タイミング信号を発生するとともに、制御手段から第１の周期を設定されたときに、ポーリングタイミング信号を発生後に前記第１の周期のポーリングタイミング信号を発生し、次いで制御手段から第２の周期を設定されたときに、ポーリングタイミング信号を発生後にポーリングタイミング信号の発生を前記第２の周期に移行し、次いで前記網同期タイミング信号が発生した場合、この網同期タイミング信号に同期を取ったポーリングタイミング信号を前記第２の周期で発生し、次いで制御手段から前記第１の周期を設定された場合、前記網同期タイミング信号に同期を取った前記第１の周期でポーリングタイミング信号を発生させるタイマと、
発呼要求操作を受け付ける操作手段と、
前記網同期タイミング信号により周期的にウェイクアップして携帯電話網との間の無線通信について無線処理を行う無線処理手段と、
前記ポーリングタイミング信号により周期的にウェイクアップして前記操作手段による発呼要求がなされたか否かをポーリングし、発呼要求があれば前記無線処理手段に発信指示を行うポーリング処理手段と、
主表示を行う表示部のオン状態のときに前記ポーリングタイミング信号の周期を前記第１の周期とし、前記表示部がオフ状態のときに前記ポーリングタイミング信号の周期を前記第１の周期より長い前記第２の周期に設定する制御手段とを
具備することを特徴とする携帯電話機。
【請求項４】
前記制御手段は、
携帯電話機の折り畳み蓋の蓋開け、キー操作、アラーム時間経過のいずれかの発生に基づいて前記ポーリングタイミング信号の周期を第１の周期とすることを特徴とする請求項１乃至３のいずれか１項に記載の携帯電話機。
【請求項５】
前記制御手段は、
携帯電話機の折り畳み蓋の蓋閉め、無処理状態のタイムアウトのいずれかの発生に基づいて前記ポーリングタイミング信号の周期を前記第２の周期に設定することを特徴とする請求項１乃至３のいずれか１項に記載の携帯電話機。
【発明の詳細な説明】
【技術分野】
【０００１】
本発明は、携帯電話機において、内部動作要求をサーチする内部のポーリング処理に関するもので、特に、このポーリング処理の間欠動作を行う携帯電話機に関する。
【背景技術】
【０００２】
移動通信電話網のタイミングに同期を取って、基地局から移動局あての着信の有無およびセルサーチを間欠受信処理している移動体通信システムがある（例えば、特許文献１参照。）。
【０００３】
この特許文献１の移動体通信システムにあっては、現在時刻、着呼頻度、電波状況の良否に基いて、間欠受信処理の間隔を任意に変化させている。これにより、移動局の間欠受信時の低消費電力化と着呼応答レスポンス向上の両立を図っている。
【０００４】
また、特許文献１のような基地局からの着信やセルサーチの間欠受信処理ではなく、携帯電話機の内部動作要求をサーチする内部のポーリング処理を間欠動作している携帯電話機がある。この間欠動作は、一定周期で行われている。
【先行技術文献】
【特許文献】
【０００５】
【特許文献１】特開２０００−２６１３６４号公報（第５〜６頁、図６、図７、図１１）
【発明の概要】
【発明が解決しようとする課題】
【０００６】
ところで、上述した特許文献１に記載される従来技術の移動体通信システムにおいては、内部動作要求をサーチするポーリング処理に関する記載はない。
【０００７】
また、従来の内部動作のポーリング処理は、一定周期で行われており、消費電力を更に低減するために間欠動作の周期を長くすると、移動通信電話網に対してアクセスする発信動作要求が発生した時に、移動通信電話網へのアクセスタイミングが遅くなり、ユーザビリティが悪くなってしまうという問題があった。
【０００８】
本発明は、上記の問題点を解決するためになされたもので、ポーリング処理に関して、この間欠動作の周期を長くして消費電力を更に低減すると共に、移動通信電話網へのアクセスタイミングが遅れることなく、ユーザビリティの低下のない携帯電話機を提供することを目的とする。
【課題を解決するための手段】
【０００９】
上記目的を達成するために、本発明の携帯電話機は、一定周期の網同期タイミング信号を発生するとともに、可変周期のポーリングタイミング信号を前記網同期タイミング信号に同期を取って発生するタイマと、発呼要求操作を受け付ける操作手段と、前記網同期タイミング信号により周期的にウェイクアップして携帯電話網との間の無線通信について無線処理を行う無線処理手段と、前記ポーリングタイミング信号により周期的にウェイクアップして前記操作手段による発呼要求がなされたか否かをポーリングし、発呼要求があれば前記無線処理手段に発信指示を行うポーリング処理手段と、主表示を行う表示部のオン状態のときに前記ポーリングタイミング信号の可変周期を第１の周期とし、前記表示部がオフ状態のときに前記ポーリングタイミング信号の可変周期を前記第１の周期より長い第２の周期に設定する制御手段とを具備することを特徴とする。
【発明の効果】
【００１０】
本発明によれば、ポーリング処理に関して、この間欠動作の周期を長くして消費電力を更に低減すると共に、移動通信電話網へのアクセスタイミングが遅れることなく、ユーザビリティの低下のない携帯電話機を提供することが可能となる。
【図面の簡単な説明】
【００１１】
【図１】本発明の実施例に係る携帯電話機のブロック図。
【図２】本発明の実施例に係る携帯電話機の制御部の状態遷移図。
【図３】本発明の実施例に係る携帯電話機のタイムチャート。
【発明を実施するための形態】
【００１２】
以下、本発明の実施例を、図面を参照して説明する。
【実施例】
【００１３】
図１〜図３は、本発明を携帯電話機に適用した実施例を示し、図１は携帯電話機のブロック図、図２は、携帯電話機の制御部の状態遷移図、図３は携帯電話機のタイムチャートである。
【００１４】
図１は、携帯電話機のブロック図である。携帯電話機の主要部は、ＬＣＤ１、折り畳みスイッチ２、キー３、ＲＴＣ（Ｒｅａｌ  Ｔｉｍｅ  Ｃｌｏｃｋ）４、タイマ５、制御部６、無線部７、アンテナ８などにより構成されている。更に、制御部６は、ＵＩ（Ｕｓｅｒ  Ｉｎｔｅｒｆａｃｅ）処理部６１、ポーリング処理部６２、無線処理部６３を備える。
【００１５】
制御部６は、「ウェイクアップ（起き上がり）／スリープ状態」を有する。この制御部６への所定の入力信号により、制御部６はウェイクアップ状態となり、ＵＩ処理部６１、ポーリング処理部６２、無線処理部６３の１〜複数が処理を行う。そして、ＵＩ処理部６１、ポーリング処理部６２、無線処理部６３のすべての処理が終了すると、制御部６は、スリープ状態になって省電力状態となる。
【００１６】
この「ウェイクアップ／スリープ状態」は、省電力を目的として様々な汎用的な形態があり、例えば、「電源供給をオン／オフ」する形態、「動作周波数の高／低を切り換える」形態、「全機能動作／一部機能動作の切り換え」を行う形態などがある。これらの汎用的な形態についての詳細説明は省略する。
【００１７】
ＬＣＤ１は、折り畳み式携帯電話機の蓋が開けられた時に見える位置に配置された主表示手段であり、制御部６がウェイクアップした後、ＵＩ処理部６１により各種表示制御が行われる。なお、折り畳み式ではない携帯電話機にあっては、主表示を行う主表示手段であってもよい。
【００１８】
折り畳みスイッチ２は、折り畳み式携帯電話機の蓋の折り畳み状態を検出するスイッチである。この蓋が開かれると、折り畳みスイッチ２は、信号２ａを制御部６へ送出して、制御部６をウェイクアップする。そして、ＵＩ処理部６１が動作スタートする。
【００１９】
キー３は、ユーザー（使用者）操作の入力手段であり、キー操作が行われると、信号３ａを制御部６へ送出して、制御部６をウェイクアップする。そして、ＵＩ処理部６１が動作開始する。
【００２０】
ＲＴＣ４は、時計動作や、アラーム時間計時等を行い、アラーム時間が経過すると信号４ａを制御部６へ送出して、制御部６をウェイクアップする。そして、ＵＩ処理部６１が動作開始する。
【００２１】
タイマ５は、１．２５秒又は５．１２秒周期で、ポーリングタイミング信号５ａを制御部６へ送出して、制御部６を周期的にウェイクアップする。そして、ポーリング処理部６２が動作開始する。このポーリングタイミング信号５ａの周期は、ＵＩ処理部６１から、タイマ設定信号６ｂにより設定される。
【００２２】
制御部６の無線処理部６２は、移動通信網の基地局との間で送信受信を行う時に、無線部７をオン状態にする。そして、基地局へ送信する時には、制御部６は、送信信号６ｃを無線部７へ送出する。無線部７は、送信信号６ｃに対してＤ／Ａ変換やアップコンバート等の処理を行って無線信号を生成し、アンテナ８へ送出する。アンテナ８は、無線信号を基地局へ送信する。
【００２３】
基地局から受信する時には、基地局から送信された無線信号はアンテナ８により受信され、無線部７に送出される。無線部７は、受信した無線信号に対してダウンコンバートやＡ／Ｄ変換等の処理を行い、その変換した信号７ａを無線処理部６３に送出する。無線処理部６３は、基地局が当該携帯電話機を呼出すためのページング等のタイミングを抽出して、基地局との同期のためにタイマ５に記憶させる。
【００２４】
タイマ５は、このタイミングを網同期タイミング信号５ｂとして制御部６へ送出して、制御部６を周期的にウェイクアップする。そして、無線処理部６３は、周期的に、基地局から当該携帯電話機を呼出すページング信号に同期して動作開始し、当該携帯電話機への呼出しやセルサーチ処理等の待受け処理を行う。当該携帯電話機への呼出しがあった場合、無線処理部６３は、着信要求をポーリング処理部６２へ送出する。
【００２５】
図２は、制御部６の状態遷移図であり、図２（ａ）は、制御部６のウェイクアップ／スリープの状態遷移図、図２（ｂ）は、ＵＩ処理部６１の動作開始／停止の状態遷移図、図２（ｃ）は、ポーリング処理部６２の動作開始／停止の状態遷移図、図２（ｄ）は、無線処理部６３の動作開始／停止の状態遷移図である。それぞれ、状態遷移の条件の主要なものについて示す。各部の状態遷移について、図１を参照して説明する。
【００２６】
図２（ａ）において、制御部６をウェイクアップ状態に遷移する条件は、図２（ｂ）に示すＵＩ処理部６１を動作開始する条件、又は図２（ｃ）に示すポーリング処理部６２を動作開始する条件、又は図２（ｄ）に示す無線処理部６３を動作開始する条件である。すなわち、これらの条件のＯＲ条件である。制御部６をスリープ状態に遷移する条件は、ＵＩ処理部６１、ポーリング処理部６２、及び無線処理部６３のすべてが停止した場合である。
【００２７】
図２（ｂ）において、ＵＩ処理部６１を動作開始状態に遷移する条件は、ポーリング処理部６２からの発信指示、ＬＣＤ１をオンにする諸条件などである。ＬＣＤ１をオンにする諸条件は、折り畳み式携帯電話機の蓋開け、キー操作、アラーム時間経過等である。ＵＩ処理部６１を停止状態に遷移する条件は、ＬＣＤ１をオフにする諸条件などである。ＬＣＤ１をオフにする諸条件は、折り畳み式携帯電話機の蓋閉じ、操作や表示後のタイムアウト等である。
【００２８】
ＵＩ処理部６１は、動作開始すると、折り畳み式携帯電話機の蓋開け、キー操作、アラーム時間経過等を確認して、いずれかの条件があり、ユーザー（使用者）対応の処理であるユーザーインターフェースを有効にする必要があると判断した時、ＬＣＤ１をオン状態にして、所定の表示を行う。そして、このＬＣＤオン状態になると、タイマ５へタイマ設定６ｂにより、ポーリングタイミングの周期を１．２８秒に設定する。タイマ５は、これにより、ポーリングタイミング信号５ａを１．２８秒周期で発生して、制御部６へ送出する。
【００２９】
また、ＵＩ処理部６１は、折り畳み式携帯電話機の蓋閉じや、操作や表示等の処理が何も発生しないでタイムアウトし、ユーザー（使用者）対応の処理であるユーザーインターフェースを無効にしてよいと判断した時、ＬＣＤ１をオフ状態にする。そして、このＬＣＤオフ状態になると、タイマ５へタイマ設定６ｂにより、ポーリングタイミングの周期を５．１２秒に設定する。タイマ５は、これにより、ポーリングタイミング信号５ａを５．１２秒周期で発生して、制御部６へ送出する。
【００３０】
図２（ｃ）において、ポーリング処理部６２を動作開始状態に遷移する条件は、タイマ５からの１．２５秒または５．１２秒毎のポーリングタイミング信号５ａである。ポーリング処理部６２の停止条件は、ポーリング処理部６２自身の処理終了である。
【００３１】
ポーリング処理部６２は、スタートすると、ＵＩ処理部６１及び無線処理部６３からの発信要求をチェックして、発信要求があれば、ＵＩ処理部６１及び無線処理部６３に対して発信指示を行う。そして、ポーリング処理部６２自身は、処理を終了し、停止する。
【００３２】
図２（ｄ）において、無線処理部６３を動作開始状態に遷移する条件は、タイマ５からの５．１２秒毎の網同期タイミング信号５ｂ等である。無線処理部６３の停止条件は、無線処理部６３自身の処理終了である。
【００３３】
無線処理部６３は、動作開始すると、無線部７をオン状態にすると共に、基地局との間の無線制御を行う。
【００３４】
図３は、携帯電話機のタイムチャートである。携帯電話機は待受け状態にあり、タイマ５は、基地局からのページングに合わせて、網同期タイミング信号５ｂを、５．１２秒周期でタイミングＴ１、Ｔ５、Ｔ９、Ｔ１３において、発生している。無線処理部６３は、この網同期タイミング信号５ｂのＴ１により、まず、動作開始し、無線部７をオンにし、所定の無線処理を行い、処理が終了すると、無線部７をオフにし、無線処理部６３自体を停止する。これをＴ５、Ｔ９、Ｔ１３と繰り返す。
【００３５】
ＵＩ処理部６１は、動作状態にあり、ＬＣＤ１のオン条件により、ＬＣＤ１をオン１ａ状態にしているとする。従って、ポーリングタイミング信号５ａは、タイミングＴ１、Ｔ２に示すように、１．２８秒周期で発生している。タイマ５は、このポーリングタイミング信号５ａを網同期タイミング信号５ｂに同期を取っており、ポーリングタイミング信号５ａのＴ１と、網同期タイミング信号５ｂのＴ１とは同期している。
【００３６】
ポーリング処理部６２は、ポーリングタイミング信号５ａのＴ１により、まず、動作開始し、ＵＩ処理部６１及び無線処理部６３からの発信要求をチェックする。そして、ポーリング処理部６２は、この発信要求があれば、ＵＩ処理部６１及び無線処理部６３に対して、発信処理の指示を出し、その後、ポーリング処理部６２自体は停止する。この発信要求がない場合には、ポーリング処理部６２は、何も行わずに停止する。これを、ポーリングタイミング信号５ａ毎に繰り返す。
【００３７】
次に、ポーリングタイミング信号５ａのＴ２とＴ３の間で、折り畳み式携帯電話機の蓋閉め２ａ―１が発生したとする。ＵＩ処理部６１は、蓋閉め２ａ―１が発生すると、ＬＣＤ１をオフ１ｂ状態にすると共に、ポーリングタイミング信号５ａの周期を５．１２秒に設定する。タイマ５は、その時点で１．２８秒周期のＴ３発生処理中であり、Ｔ３が終了すると、以降、５．１２秒周期でポーリングタイミング信号５ａを発生するようにする。
【００３８】
従って、タイマ５は、本来は、Ｔ７で出力するはずであるが、Ｔ７以前に網同期タイミング信号５ｂのＴ５がある場合は、それを優先して、網同期タイミング信号５ｂのＴ５に同期して、ポーリングタイミング信号５ａのＴ５を発生する。以後、ポーリングタイミング信号５ａは、５．１２秒周期で動作して、Ｔ９、Ｔ１３で発生する。
【００３９】
これは、別の観点から言えば、ポーリングタイミング信号５ａの本来のタイミングであるＴ３、Ｔ７間の５．１２秒周期は、絶対間隔ではなく、あくまでも最大間隔であり、このＴ３、Ｔ７間に、網同期タイミング信号５ｂのＴ５等の優先度の高い信号が発生した場合、そちらを優先して、ポーリングタイミング信号５ａの間隔をＴ３、Ｔ５間の２．５６秒間隔に短くするとも言える。
【００４０】
従って、ＬＣＤ１がオフ状態の時には、ポーリングタイミング信号５ａは、５．１２秒周期を最大間隔として、しかも、網同期タイミング５ｂを優先して、網同期タイミング５ｂに同期した５．１２秒周期となる。
【００４１】
次に、ポーリングタイミング信号５ａのＴ９とＴ１３の間の任意のタイミングで、折り畳み式携帯電話機の蓋開け２ａ―２が発生したとする。ＵＩ処理部６１は、蓋閉め２ａ―１以降は停止状態にあったが、蓋開け２ａ―２により動作スタートする。
【００４２】
ＵＩ処理部６１は、動作スタートすると、ＬＣＤ１をオン１ｃ状態にすると共に、ポーリングタイミング信号５ａの周期を１．２８秒に設定する。タイマ５は、その時点で５．１２秒周期のＴ１３発生処理中であり、Ｔ１３が終了すると、以降、１．２８秒周期でポーリングタイミング信号５ａを発生するようにする。
【００４３】
従って、タイマ５は、Ｔ１３以降、ポーリングタイミング信号５ａとして、１．２８秒周期のＴ１４、Ｔ１５を発生する。
【００４４】
（消費電力）
消費電力について以下に説明する。ポーリング処理部６２は、上述したポーリングタイミング信号５ａのＴ１〜Ｔ３、Ｔ５、Ｔ９、Ｔ１３〜Ｔ１５のタイミングで動作する。ＵＩ処理部６１は、ＬＣＤ１オン状態中は、動作する。無線処理部６３は、網同期タイミング信号５ｂのＴ１、Ｔ５、Ｔ９、Ｔ１３のタイミングで動作する。
【００４５】
従って、制御部６のウェイクアップ状態は、ポーリング処理部６２、ＵＩ処理部６１、無線処理部６３の動作中のＯＲ状態である。従って、ＬＣＤ１がオン状態の時には、制御部６は、ウェイクアップ状態が継続しており、制御部６の消費電力は大きい。ＬＣＤ１がオフ状態の時には、従来の技術では、ポーリング処理部６２の動作は、１．２８秒周期に固定であったが、本実施例では、概略、５．１２秒周期となり、ＬＣＤ１がオフ状態の時の消費電力を大幅に少なくすることができる。
【００４６】
一般的に、携帯電話機は、電源オン状態であっても、待受け等で、蓋を閉じてＬＣＤ１がオフ状態にある時の方がきわめて多い。ゆえに、このＬＣＤ１がオフ状態の時の消費電力を大幅に減少することにより、携帯電話機の電池の待受け時間を長くすることができる。
【００４７】
（ユーザビリティ）
ユーザビリティについて以下に説明する。まず、ＬＣＤ１がオン１ａ状態の時には、ポーリング処理部６２は、Ｔ１、Ｔ２、Ｔ３の１．２８秒周期で動作を行う。ポーリング処理部６２は、ユーザー操作によるＵＩ処理部６１からの発信要求、又は無線処理部６３からの発信要求を１．２８秒周期でチェックする。つまり、発信要求から遅くとも１．２８秒以内には、ＵＩ処理部６１及び無線処理部６３に対して、発信処理の指示を出す。つまり、発信要求に対するレスポンスが早い。
【００４８】
次に、蓋閉め２ａ―１が発生すると、ＬＣＤ１がオフ１ｂ状態となり、ポーリング処理部６２は、Ｔ５、Ｔ９、・・の５．１２秒周期で動作を行う。しかし、Ｔ５、Ｔ９のタイミングは、網同期タイミング５ｂに同期を取っているために、網同期タイミング５ｂで動作している無線処理部６３からの着信要求に対しては、遅れることなくチェックして、早いレスポンスで、ＵＩ処理部６１及び無線処理部６３に対して、着信処理の指示を出すことができる。ゆえに、本発明は、この着信処理に対して何ら影響を与えるものではない。
【００４９】
また、ＬＣＤ１がオフ１ｂ状態において、ユーザー操作により、蓋開け２ａ―２がＴ９とＴ１３の間の任意のタイミングで発生すると、すぐにＬＣＤ１をオン状態１ｃにする。この時、ポーリングタイミング信号Ｔ１３は、最長では、蓋開け２ａ―２から５．１２秒後に発生する。しかし、ユーザーは、蓋開け２ａ―２により、いきなり発信するわけではなく、その後、発信のためのキー操作を行ってから発信要求を行う。また、ＬＣＤ１がオン状態１ｃになるのは、蓋開け２ａ―２に限らず、キー操作やアラーム時間が経過した条件等があるが、いずれもそれらの条件でいきなり発信するわけではなく、その後、発信のためのキー操作を行ってから発信要求を行う。
【００５０】
ゆえに、ＵＩ処理部６１からの発信要求が発生する時には、ポーリング処理部６２は、Ｔ１３以降すでに１．２８秒周期で動作している。従って、ポーリング処理部６２は、ユーザー操作による発信要求に対しても、遅れることなくチェックして、早いレスポンスで、ＵＩ処理部６１及び無線処理部６３に対して、発信処理の指示を出すことができる
このように実施例によれば、ＬＣＤ１がオフ状態において、ポーリング処理部６２の動作周期を遅くして、電池の待受け時間を長くすると共に、発信要求に対してもレスポンス良く発信処理を行うことができる。
【００５１】
なお、ポーリングタイミング信号５ａの周期は、１．２８秒又は５．１２秒としたが、これに固定する必要はなくて、その長短関係が合っていればよい。
【００５２】
また、ＵＩ処理部６１、ポーリング処理部６２、無線処理部６３は、制御部６内部にあって、ＵＩ処理部６１、ポーリング処理部６２、無線処理部６３の動作のＯＲ条件により、制御部６が「ウェイクアップ／スリープ制御」したが、ＵＩ処理部６１、ポーリング処理部６２、無線処理部６３それぞれが独立して、「ウェイクアップ／スリープ制御」状態を有する実施例であってもかまわない。
【符号の説明】
【００５３】
１  ＬＣＤ
２  折り畳みスイッチ
３  キー
４  ＲＴＣ
５  タイマ
６  制御部
７  無線部
８  アンテナ
６１  ＵＩ処理部
６２  ポーリング処理部
６３  無線処理部
【図１】
0004741020.tif 000002
【図２】
0004741020.tif 000003
【図３】
0004741020.tif 000004